(57)【要約】【課題】外部四方に、ストッパーコンクリート擁壁を設け、作業も容易で安価に施工することができる、住宅の免震構造を提供するものである。【解決手段】外部四方に、ストッパーコンクリート擁壁３を設け、その内側にベースコンクリート１２を全面に水平に打設し、その際に免震用受皿９をある程度の間隔に配置埋め込み、その受皿にボールベアリング８を収納し、この上部に滑り板１１を設けたコンクリート盤１３をのせると共に、コンクリート盤１３の側面に鉄棒４を突設し、これを外部ストッパーコンクリート擁壁３の開口空洞部５に遊嵌状に挿着したものである。【選択図】　　　　図１
2004092142.tif 000002
【特許請求の範囲】
【請求項１】
外部四方にストッパーコンクリート擁壁を設け、その内側にベースコンクリートを全面に水平に打設し、その際に免震用の受け皿を配置し、その受け皿にボールベアリングを収納し、この上部に滑り板を設けたコンクリート盤で覆いその側面には、突出した鉄棒が外部ストッパーコンクリート擁壁の空洞開口部に遊嵌状に挿着した事を特徴とする住宅の免震構造。
【請求項２】
免震用受皿底面に、クッション用ゴムを取り付けまた、ボールベアリングを収納する受皿中心部を低く形成し、外側に向かって高く傾斜をつけた事を特徴とする請求項１記載の住宅の免震構造。
【請求項３】
外部ストッパーコンクリート擁壁の内側上部に土台または、上部コンクリート盤の側面と接する箇所に、クッション用のゴムを四方全面に取付けた事を特徴とする請求項１または、２記載の住宅の免震構造。
【請求項４】
内部ベースコンクリートと外部ストッパーコンクリート擁壁の内側の接する箇所に、水抜き用の溝を設けたことを特徴とする請求項１または、２、３記載の住宅の免震構造。
【請求項５】
内部ベースコンクリートに付けた溝の部分にたまった水の排水をするために外部ストッパーコンクリート擁壁に、水抜きパイプを設けた事を特徴とする請求項１または、２、３、４記載の住宅の免震構造。
【請求項６】
上部コンクリート盤を設置する場合に、接続する側面と側面の間に、クッション用ゴムを取り付けたことを特徴とする請求項１または、２、３、４、５記載の住宅の免震構造。
【発明の詳細な説明】
【０００１】
【発明が属する技術分野】
本発明は、住宅の免震構造の改良に関する物である。
【０００２】
【従来の技術】
従来の住宅の免震構造としては、住宅の要所の箇所に、ボールベアリングが内臓され横方向の振動を吸収する構造がある。このボールベアリングを内蔵した免震装置は、前後左右の平面方向に自由に土台が移動できるため、強風時に建物が移動するのを防止するロック装置を別個に設けて、一時的に固定するようになっている。
【０００３】
しかしながら、ロック装置により固定すると、いつ発生するかわからない地震に対して効果がなくまた、ロック装置も複雑である。また、従来の免震構造では、取付作業が面倒で施工費が高くなる問題があった。
【０００４】
【発明が解決しようとする課題】
本発明は、上記問題を改善し、外部四方にストッパーコンクリート擁壁を設け、作業も容易で安価に施工することが出来る住宅の免震構造を提供するものである。
【０００５】
【課題を解決するための手段】
本発明の請求項１記載の住宅の免震構造は、外部四方にストッパーコンクリート擁壁を設け、その内側にコンクリートを全面に水平に打設し、その際に免震用の受け皿をある程度の間隔に配置しその受け皿にボールベアリングを収納し、この上部に滑り板を設けたコンクリート盤で覆うと共に、この上部コンクリート盤の側面に鉄棒を突設し、これを外部ストッパーコンクリート擁壁の開口部に遊嵌状に挿着したことを特徴とするものである。
【０００６】
本発明の請求項２記載の住宅の免震構造は、免震用受皿底面にクッション用ゴムを取付、ボールベアリングを収納する受皿中心部を低く形成し、外側に向かって高く傾斜をつけた事を特徴とするものである。
【０００７】
本発明の請求項３記載の住宅の免震構造は、外部ストッパーコンクリート擁壁の内側上部に土台または、上部コンクリート盤の側面と接する箇所に、クッション用のゴムを四方全面に取付けた事を特徴とするものである。
【０００８】
本発明の請求項４記載の住宅の免震構造は、内部ベースコンクリートと外部ストッパーコンクリート擁壁の内側の接する箇所に水抜き用の溝を設ける事を特徴とするものである。
【０００９】
本発明の請求項５記載の住宅の免震構造は、内部ベースコンクリートに設けた溝の部分に溜まった水の排水をするために、外部ストッパーコンクリート擁壁に水抜きパイプを設けた事を特徴とするものである。
【００１０】
本発明の請求項６記載の住宅の免震構造は、上部コンクリート盤を設置する場合に、接続する側面と側面の間にクッション用のゴムを取付けた事を特徴とするものである。
【００１１】
【発明の実施の形態】
以下、本発明の実施の一形態を図１ないし、図４を参照して詳細に説明する。図において１は、土台２は、サイドゴム３は、ストッパーコンクリート擁壁４は、鉄棒である。５は、開口空洞部で６は、溝である。７は、水抜きパイプでストッパーコンクリート擁壁３の内部に設けられている。
【００１２】
また、免震装置１４は、図３に示すように受皿中心部が低く形成されボールベアリング８が、受皿９に収納してあり、この上部に滑り板１１が、コンクリート版１３に形成されている。受皿９には、クッションゴム１０が底版に設けられ一体となっていてペースコンクリート１２に埋設されている。
【００１３】
また、土台１とコンクリート盤１３は、アンカーボルト等で固定され一体化されている。コンクリート盤１３に取付けられている滑り板１１が、ボールベアリング８と接触して土台１が前後左右に移動するようになっている。また、その場合に土台１とコンクリート盤１３の側面外周がストッパーコンクリート擁壁３の内側の部分と接触するためその衝撃を緩和するためにサイドゴム２が設けられている。
【００１４】
また、コンクリート盤１３の側面には、丸棒状の鉄筋４が突起状に横方向に住宅外側のストッパー擁壁３の開口空洞部５に遊嵌状に挿着されている。
【００１５】
この免震装置１４は、図２に示すように並列に四角状の各辺に少なくとも二個以上配置する。受皿部９は、中心部より外側に向かって傾斜がついているためボールベアリング８は、中心に向かって復帰するようになっている。
【００１６】
上記構成の住宅の免震構造は、図１に示すように外部ストッパーコンクリート擁壁３の内側に、ベースコンクリート１２を全面に打設し、免震装置１４を水平に配置するものである。コンクリート盤１３を設置する場合には、クレーン等により吊り上げ、所定の箇所に外側部分より、ストッパーコンクリート擁壁３の開口空洞部５にあわせるように設置する。
【００１７】
また、単体のコンクリート盤１３の結合は、突合せ部分に、図２に示すようにジョイント用ゴム１５を取付、あらかじめコンクリート盤１３に埋め込んであるメスのボルト穴に、ジョイント鉄板１７にオスのボルトナット１８を通し締め付けて一体化を形成する。
【００１８】
また、土台１は、コンクリート盤１３を打設する際に所定の位置にアンカーボルトを配置してあるため、従来どおりの土台の組立作業が容易である。
【００１９】
地震が発生してベースコンクリート１２及び、ストッパーコンクリート擁壁３が左右に横揺れ、するとコンクリート盤１３及び土台１は、免震装置１４のボールベアリング８の上にのているため、ベースコンクリート１２とは切り離されているので振動が軽減され、土台や柱、張りなどの住宅構造体に加わる振動が押さえられ、家屋の崩壊や家具等の転倒を防止することが出来る。
【００２０】
また、地震の横揺れに伴ってボールベアリング８が、収納部内を前後左右に多少移動するが収納部の内側は、中心に向かって低く傾斜されているので、ボールベアリング８は、中心に向かって復帰するようになっている。
【００２１】
また、大きな横揺れが発生しても、図２に示すようにストッパーコンクリート擁壁３は四方にあるために、コンクリート盤１３の上に一体化された土台１が外れる事はなくまた、コンクリート盤１３の側面と接するストッパーコンクリート擁壁３の内側には、サイドゴム２が取付けられているため、接触した際の衝撃が吸収されるようになっている。
【００２２】
さらに、図２に示すようにコンクリート盤１３の側面に、突起状の鉄棒４がストッパーコンクリート擁壁３の開口円形の空洞部内に、遊嵌状に挿着されているので、左右前後の横揺れが発生した場合には、突起状の鉄棒４が開口部５の左右内周にあたって、ここでも移動が阻止され土台１が、外れるのを防止することが出来る。
【００２３】
このように図１、図２に示したように土台部１が、コンクリート盤１３と一体化され、ストッパーコンクリート擁壁３の内側に納まり、布基礎を要さない画期的な構造であるため、左右前後の横揺れに対し、土台１が、外れると言うことはありえない構造となっている。
【００２４】
また、大きな立揺れが発生して土台１が、コンクリート盤１３と同時に浮き上がるような衝撃があった場合でも、コンクリート盤１３の側面に突設した鉄棒４が、円形の開口空洞部５の上部内周にあたってここで、土台１及びコンクリート版１３の上昇が、阻止されるようになっている。
【００２５】
また、強風が吹いて建物が移動しても、多少左右前後に揺れるだけで生活上支障がなくまた、建物全体が大きく移動してもコンクリート盤１３の側面が、ストッパーコンクリート擁壁３にあたって阻止されるため、これ以上移動することはない。
【００２６】
図５は、本発明の異なる他の実施の形態を示すもので、１３の箇所に鉄板を使用したもので、外周の４の突出部の鉄板を使用するそのため、ストッパーコンクリート擁壁３の開口空洞部５の形状は、長方形となる。また、土台用のアンカーボルトは、直接鉄板に溶接するので作業が容易となり、仕上りもよく工費の節減にもなる構造である。
【００２７】
【発明の効果】
以上説明した如く、本発明に係る請求項１記載の住宅免震構造によれば、外部ストッパーコンクリート擁壁を設け、その内側に免震装置を埋め込みベースコンクリートを打設し、その上部にコンクリート盤と一体化された土台があり、その上部コンクリート盤の側面には、突出した鉄棒がストッパーコンクリート擁壁の開口空洞部内に遊嵌状に挿着したので施工が単純で安価にすることが出来る。また、大きな横揺れが発生しても、外部ストッパーコンクリート擁壁の内部で免震が作動すると共に、突出した鉄棒が開口部空洞部内周にあたって、ここでも移動が阻止される二重のセイフティー構造である。また、大きな縦揺れが発生しても、上部コンクリート盤の側面より突出下鉄棒が、開口空洞部の上部内周にあたって、ここで土台の上層が阻止され、土台が外部ストッパーコンクリート擁壁の内部より外れるのを防止することができる。
【００２８】
また、図５に示した別の形態によれば、上部コンクリート盤が鉄板で形成されているため、土台の取り付け作業が容易にできるものである。さらに、本発明に係る免震構造は、従来の住宅の布基礎事情を根本的に改善し、布基礎を配しない画期的な住宅免震基礎構造を提供するものである。
【００２９】
【図面の簡単な説明】
【図１】本発明の実施の一形態により、住宅の免震構造の断面図である。
【図２】図１に示す免震構造を取付けた、土台の平面図である。
【図３】図１に示す免震装置の滑り板をのぞいた状態を示す断面図と平面図である。
【図４】図１に示す免震構造の住宅の内側から見たストッパーコンクリート擁壁の正面図である。
【図５】本発明の異なる他の実施の形態により免震構造の断面図である。
【符号の説明】
１　　土台
２　　サイドゴム
３　　ストッパーコンクリート擁壁
４　　鉄棒
５　　開口空洞部
６　　溝
７　　水抜きパイプ
８　　ボールベアリング
９　　受皿
１０　クッションゴム
１１　滑り板
１２　ベースコンクリート
１３　コンクリート版
１４　免震装置
１５　ジョイントゴム
１６　ボルト穴
１７　ジョイント鉄板
１８　オスボルトナット
１９　収納部
【図１】
2004092142.tif 000003
【図２】
2004092142.tif 000004
【図３】
2004092142.tif 000005
【図４】
2004092142.tif 000006
【図５】
2004092142.tif 000007